(57)【要約】【課題】コンパクトでシンプルな構造を持った古紙回収システムを提供する。【解決手段】本発明による古紙回収システムは、古紙の回収のための回収ボックスと、この回収ボックスに内蔵され、もしくは外付けされた演算処理装置と、前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている。【選択図】  図１
2019175196.tif 000002
【特許請求の範囲】
【請求項１】
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている
ことを特徴とする古紙回収システム。
【請求項２】
請求項１に記載された古紙回収システムであって、
前記演算処理装置に接続され、該演算処理装置からの古紙容積情報信号を受信し、レシートに該古紙容積情報信号が示す古紙容積情報を印字し、これを発券するレシート発券手段を備えた古紙回収システム。
【請求項３】
古紙の回収のための回収ボックスと、
この回収ボックスに内蔵され、もしくは外付けされた演算処理装置と、
前記回収ボックスに取り付けられ、あるいは近傍に配置され、前記回収ボックスに古紙を投入する者の少なくとも顔の全体または顔の一部を撮影し、投入者情報信号を作成する第１撮影手段、前記回収ボックスに投入される古紙の束を撮影し、古紙情報信号を作成する第２撮影手段、およびこれらの投入者情報信号と古紙情報信号を紐付けて前記演算処理装置に送信する送信手段を有する撮影ユニットとを備えた古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
ことを特徴とする古紙回収システム。
【請求項４】
請求項３に記載された古紙回収システムであって、
前記演算処理装置に接続され、該演算処理装置からの新たな累積投入量情報信号を受信し、レシートに該累積投入量情報信号が示す新たな累積投入量情報を印字し、これを発券するレシート発券手段を備えた古紙回収システム。
【請求項５】
請求項３または４に記載された古紙回収システムであって、
当該投入者の前記累積投入量が、所定量増加する毎に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システム。
【請求項６】
請求項３〜５のいずれかに記載された古紙回収システムであって、
前記回収ボックスは、複数種の商品を取り扱うショップの店外または店内に設置され、
前記第１撮影手段からの投入者情報信号を受信し、この投入者情報信号から少なくとも投入者の性別および年代を識別し、識別情報信号を生成する識別手段、および
前記ショップで取り扱っている商品であって、性別および年代別に仕分けされ、当選者に与えられる当選賞品群を記憶した当選賞品群記憶手段
を備え、
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および年代に合致した当選賞品を選択し、前記レシート発券手段をして、当該当選賞品を印字したレシートを発券させるようにした
古紙回収システム。
【請求項７】
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
投入者の回収ボックスへの古紙の束の投入時に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている
ことを特徴とする古紙回収システム。
【請求項８】
請求項７に記載された古紙回収システムであって、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
この第２撮影手段により特定された投入者の投入回数をカウントし、所定回数毎に所定回数到達情報信号を生成し、これを出力するカウント手段を備え、
前記抽選手段は、前記所定回数到達情報信号を、直接、あるいは前記演算処理装置を介して受信したとき、抽選を行う古紙回収システム。
【請求項９】
請求項７または８に記載された古紙回収システムであって、
前記回収ボックスは、複数種の商品を取り扱うショップの店外または店内に設置され、
前記回収ボックスに取り付けられ、あるいは近傍に配置され、前記回収ボックスに古紙を投入する者の少なくとも顔の全体または顔の一部を撮影し、投入者情報信号を作成する第２撮影手段、
この第２撮影手段からの投入者情報信号を受信し、この投入者情報信号から少なくとも投入者の性別および年代を識別し、識別情報信号を生成する識別手段、および
前記ショップで取り扱っている商品であって、性別および年代別に仕分けされ、当選者に与えられる当選賞品群を記憶した当選賞品群記憶手段
を備え、  
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および年代に合致した当選賞品を選択し、前記レシート発券手段をして、当該当選賞品を印字したレシートを発券させるようにした
古紙回収システム。
【発明の詳細な説明】
【技術分野】
【０００１】
本発明は、古紙回収システムに関する。
【背景技術】
【０００２】
近年、古紙回収率の向上を図ることにより、環境保全を推進して循環型社会を形成すべく、いろいろな古紙回収装置や古紙回収施設が提案されている。このような古紙回収装置や古紙回収施設として、例えば、特許文献１に示すものがある。
【０００３】
特許文献１に示す古紙回収装置は、投入口から投入される古紙を収容する収容箱と、前記収容箱が載置されるとともに、当該収容箱に収容された古紙の重量を計量する計量器と、前記計量器により計量された古紙の重量をポイントに換算する換算手段と、少なくとも前記ポイントが記憶された利用者所有の記憶媒体から各種情報を読取可能な情報読取手段と、前記情報読取手段により読取られたポイントに、今回投入された古紙の重量に応じたポイントを加算する加算手段と、前記加算手段により算出されたポイントを前記記憶媒体に更新記憶する書込み手段とを備えている。
【０００４】
すなわち、古紙の回収量に応じたポイントが発行され、そのポイントに応じたキャッシュバック等の利益が還元されるものである。これにより、利用者にとっては古紙回収に協力したことによる対価を得ることができるため、さらなる古紙提供の動機付けとなり古紙回収率の向上を図ることができる。一方、この古紙回収装置を設置するスーパーマーケット等の設置店にとっては、ポイントによる優遇を受けるために来店する顧客の増加が見込まれるため、商品の販売を促進する手段の１つとして利用することができる。
【先行技術文献】
【特許文献】
【０００５】
【特許文献１】特開２００８−１４６４２８号公報
【発明の概要】
【発明が解決しようとする課題】
【０００６】
しかし、上記特許文献１記載の古紙回収装置の計量器では、次々と投入される古紙が収容された収容コンテナごと計量するので、新たに投入された古紙については、その分だけの重量に換算しなければならず、装置が大掛かりで、複雑になってしまうという問題があった。
【０００７】
本発明はかかる従来の問題点に鑑みてなされたものであり、コンパクトでシンプルな構造を持った古紙回収システムを提供するものである。
【課題を解決するための手段】
【０００８】
上記の課題は、下記（１）〜（９）の構成を有する本発明による古紙回収システムにより達成することが出来る。
（１）
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている
ことを特徴とする古紙回収システム。
（２）
前記（１）に記載された古紙回収システムであって、
前記演算処理装置に接続され、該演算処理装置からの古紙容積情報信号を受信し、レシートに該古紙容積情報信号が示す古紙容積情報を印字し、これを発券するレシート発券手段を備えた古紙回収システム。
（３）
古紙の回収のための回収ボックスと、
この回収ボックスに内蔵され、もしくは外付けされた演算処理装置と、
前記回収ボックスに取り付けられ、あるいは近傍に配置され、前記回収ボックスに古紙を投入する者の少なくとも顔の全体または顔の一部を撮影し、投入者情報信号を作成する第１撮影手段、前記回収ボックスに投入される古紙の束を撮影し、古紙情報信号を作成する第２撮影手段、およびこれらの投入者情報信号と古紙情報信号を紐付けて前記演算処理装置に送信する送信手段を有する撮影ユニットとを備えた古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
ことを特徴とする古紙回収システム。
（４）
前記（３）に記載された古紙回収システムであって、
前記演算処理装置に接続され、該演算処理装置からの新たな累積投入量情報信号を受信し、レシートに該累積投入量情報信号が示す新たな累積投入量情報を印字し、これを発券するレシート発券手段を備えた古紙回収システム。
（５）
前記（３）または（４）に記載された古紙回収システムであって、
当該投入者の前記累積投入量が、所定量増加する毎に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システム。（６
（６）
前記（３）〜（５）のいずれかに記載された古紙回収システムであって、
前記回収ボックスは、複数種の商品を取り扱うショップの店外または店内に設置され、
前記第１撮影手段からの投入者情報信号を受信し、この投入者情報信号から少なくとも投入者の性別および年代を識別し、識別情報信号を生成する識別手段、および
前記ショップで取り扱っている商品であって、性別および年代別に仕分けされ、当選者に与えられる当選賞品群を記憶した当選賞品群記憶手段
を備え、
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および年代に合致した当選賞品を選択し、前記レシート発券手段をして、当該当選賞品を印字したレシートを発券させるようにした
古紙回収システム。
（７）
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
投入者の回収ボックスへの古紙の束の投入時に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている
ことを特徴とする古紙回収システム。
（８）
前記（７）に記載された古紙回収システムであって、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
この第２撮影手段により特定された投入者の投入回数をカウントし、所定回数毎に所定回数到達情報信号を生成し、これを出力するカウント手段を備え、
前記抽選手段は、前記所定回数到達情報信号を、直接、あるいは前記演算処理装置を介して受信したとき、抽選を行う古紙回収システム。
（９）
前記（７）または（８）に記載された古紙回収システムであって、
前記回収ボックスは、複数種の商品を取り扱うショップの店外または店内に設置され、
前記回収ボックスに取り付けられ、あるいは近傍に配置され、前記回収ボックスに古紙を投入する者の少なくとも顔の全体または顔の一部を撮影し、投入者情報信号を作成する第２撮影手段、
この第２撮影手段からの投入者情報信号を受信し、この投入者情報信号から少なくとも投入者の性別および年代を識別し、識別情報信号を生成する識別手段、および
前記ショップで取り扱っている商品であって、性別および年代別に仕分けされ、当選者に与えられる当選賞品群を記憶した当選賞品群記憶手段
を備え、  
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および年代に合致した当選賞品を選択し、前記レシート発券手段をして、当該当選賞品を印字したレシートを発券させるようにした
古紙回収システム。
【発明の効果】
【０００９】
上記したように、本発明の古紙回収システムにおいては、回収ボックスに投入される古紙の計量を、その嵩の大きさによって行っているので、古紙を回収ボックスに投入する前に行うことができ、重量の場合のように、その後の換算が不要である。
また、計量を重量で行う場合には、前記特許文献１に示されているように回収ボックスに計量器を一体に設けるなど、回収ボックス自体に工夫を加えなければならず、回収ボックスが高価なものとなり、普及しづらいと言う問題もあるが、本発明の古紙回収システムのように、嵩で量る場合には、回収ボックスと全く別体に設けることができるので、回収ボックス自体は安価にすることができる。
【図面の簡単な説明】
【００１０】
【図１】本発明の実施の形態による古紙回収システムの概略図である。
【発明を実施するための形態】
【００１１】
図１は、本発明の実施の形態による古紙回収システムの概略図である。
図１において、符号Ｓは、本発明の実施の形態による古紙回収システムが設置される、複数種の商品を取り扱うショップを示す。符号１０は、上記古紙回収システムの全体を示し、この古紙回収システム１０は、前記ショップＳの店外に配置された回収ボックス１２を備えている。この回収ボックス１２は、店内に配置されてもよい。
【００１２】
本古紙回収システム１０は、回収ボックス１２に内蔵され、もしくは外付けされた演算処理装置２０と、撮影ユニット３０とを備えている。この撮影ユニット３０は、前記回収ボックス１２に取り付けられ、あるいは近傍に配置され、この回収ボックス１２に投入される古紙の束を撮影し、古紙情報信号S１を作成する古紙撮影手段３２、およびこの古紙情報信号を前記演算処理装置２０に送信する送信手段３４を有する。
【００１３】
前記演算処理装置２０は、前記送信されてきた前記古紙情報信号S１を受け、この古紙情報信号に基づき、回収ボックス１２に投入された古紙の束の容積を演算し、古紙容積情報信号S2を作成する古紙容積信号作成手段２２を備えている。この古紙容積情報信号S2は、一旦、前記演算処理装置２０に送信される。
前記古紙回収システム１０は、さらに、前記演算処理装置２０に接続され、該演算処理装置からの古紙容積情報信号S2を受信し、レシートに該古紙容積情報信号が示す古紙容積情報を印字し、これを発券するレシート発券手段２４を備えている。このレシート発券手段２４は、レシートに必要内容を印字する印字機等のハードも含まれている。
前記回収ボックス１２には、このレシートを発券するためのレシート用開口１４が形成されている。
【００１４】
古紙回収システム１０は、さらに、前記回収ボックス１２に取り付けられ、あるいは近傍に配置され、前記回収ボックスに古紙を投入する者の少なくとも顔の全体または顔の一部を撮影し、投入者情報信号S３を作成する投入者撮影手段３６を備えている。
前記送信手段３４は、前記投入者情報信号S３と前記古紙情報信号S1を紐付けて前記演算処理装置２０に送信する機能を有している。
【００１５】
前記演算処理装置２０には、受信した投入者情報信号S3に基づき、この投入者情報信号から少なくとも投入者の性別および年代を識別し、投入者識別情報信号S4を生成する投入者識別手段２６が設けられている。
古紙回収システム１０は、投入者毎に、古紙の累積投入量を記憶する累積投入量記憶手段２８をさらに備えている。この古紙の累積投入量は、前記投入者情報または投入者識別情報と紐付けて管理される。
【００１６】
前記演算処理装置２０は、前記古紙容積情報信号S2を受信し、かつ累積投入量記憶手段２８から、前記投入者情報に基づき、古紙の累積投入量を示す累積投入量情報を読み出し、累積投入量情報が示す現在の累積投入量に、前記古紙容積情報信号S2が示す今回の古紙容積を加算し、新たな累積投入量を示す累積投入量情報を作成し、この新たな累積投入量情報で、前記累積投入量記憶手段２８に記憶されている累積投入量情報を更新する。この新たな累積投入量情報も、前記レシートに印字するようにしてもよい。
【００１７】
前記演算処理装置２０には、投入者の前記累積投入量が、所定量増加する毎に、自動的に抽選を行い、その結果を示す抽選結果内容情報信号S５を作成する抽選手段２９が接続されている。前記抽選手段２９からの前記抽選結果内容情報信号S５は、直接、あるいは前記演算処理装置２０を介して前記レシート発券手段２４に送信され、このレシート発券手段２４は、抽選結果内容情報信号S６に応じた内容をレシートに印字する。
【００１８】
前記演算処理装置２０には、前記ショップＳ等で取り扱っている商品であって、性別および年代別に仕分けされ、当選者に与えられる当選賞品群を記憶した当選賞品群記憶手段４０が接続されていてもよい。
前記演算処理装置２０は、前記抽選手段２９からの前記抽選結果内容情報信号Ｓ５を受信するようになっており、該抽選結果内容情報信号の内容が当選であるとき、前記投入者識別情報信号Ｓ４を受信し、この識別情報信号に基づき、前記賞品群記憶手段の記憶する当選賞品群の中から、当該当選者の性別および年代に合致した当選賞品を選択し、前記レシート発券手段２４をして、当該当選賞品を印字したレシートを発券させるようにしてもよい。
【００１９】
前記回収ボックス１２は、古紙投入用の投入扉１３を備えている。
前記古紙撮影手段３２、投入者撮影手段３６等の作動部は、常時作動していても良いが、前記投入扉１３の開放を検知するリミットスイッチ（図示せず）を設けておき、このスイッチが、投入扉１３の開放を検知したとき、前記古紙撮影手段３２、投入者撮影手段３６等の作動部を作動させるようにしてもよい。
【００２０】
上述の説明では、古紙の所定の累積量に応じて抽選を行う例について説明したが、古紙投入の所定回数ごとに抽選を行うようにしても良い。
【符号の説明】
【００２１】
Ｓ  ショップ
１０  古紙回収システム
１２  回収ボックス
２０  演算処理装置
２２  古紙容積信号作成手段
２４  レシート発券手段
２６  投入者識別手段
【図１】
2019175196.tif 000003
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている
ことを特徴とする古紙回収システム。
【請求項２】
請求項１に記載された古紙回収システムであって、
前記演算処理装置に接続され、該演算処理装置からの古紙容積情報信号を受信し、レシートに該古紙容積情報信号が示す古紙容積情報を印字し、これを発券するレシート発券手段を備えた古紙回収システム。
【請求項３】
古紙の回収のための回収ボックスと、
この回収ボックスに内蔵され、もしくは外付けされた演算処理装置と、
前記回収ボックスに取り付けられ、あるいは近傍に配置され、前記回収ボックスに古紙を投入する者の少なくとも顔の全体または顔の一部を撮影し、投入者情報信号を作成する第１撮影手段、前記回収ボックスに投入される古紙の束を撮影し、古紙情報信号を作成する第２撮影手段、およびこれらの投入者情報信号と古紙情報信号を紐付けて前記演算処理装置に送信する送信手段を有する撮影ユニットとを備えた古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
ことを特徴とする古紙回収システム。
【請求項４】
請求項３に記載された古紙回収システムであって、
前記演算処理装置に接続され、該演算処理装置からの新たな累積投入量情報信号を受信し、レシートに該累積投入量情報信号が示す新たな累積投入量情報を印字し、これを発券するレシート発券手段を備えた古紙回収システム。
【請求項５】
請求項３または４に記載された古紙回収システムであって、
当該投入者の前記累積投入量が、所定量増加する毎に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システム。
【請求項６】
請求項３〜５のいずれかに記載された古紙回収システムであって、
前記回収ボックスは、複数種の商品を取り扱うショップの店外または店内に設置され、
前記第１撮影手段からの投入者情報信号を受信し、この投入者情報信号から少なくとも投入者の性別および／または年代を識別し、識別情報信号を生成する識別手段、および
前記ショップで取り扱っている商品であって、性別および／または年代別に仕分けされ、当選者に与えられる当選賞品群を記憶した当選賞品群記憶手段
を備え、
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
【請求項７】
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
投入者の回収ボックスへの古紙の束の投入時に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている
ことを特徴とする古紙回収システム。
【請求項８】
請求項７に記載された古紙回収システムであって、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
この第２撮影手段により特定された投入者の投入回数をカウントし、所定回数毎に所定回数到達情報信号を生成し、これを出力するカウント手段を備え、
前記抽選手段は、前記所定回数到達情報信号を、直接、あるいは前記演算処理装置を介して受信したとき、抽選を行う古紙回収システム。
【請求項９】
請求項７または８に記載された古紙回収システムであって、
前記回収ボックスは、複数種の商品を取り扱うショップの店外または店内に設置され、
前記回収ボックスに取り付けられ、あるいは近傍に配置され、前記回収ボックスに古紙を投入する者の少なくとも顔の全体または顔の一部を撮影し、投入者情報信号を作成する第２撮影手段、
この第２撮影手段からの投入者情報信号を受信し、この投入者情報信号から少なくとも投入者の性別および／または年代を識別し、識別情報信号を生成する識別手段、および
前記ショップで取り扱っている商品であって、性別および／または年代別に仕分けされ、当選者に与えられる当選賞品群を記憶した当選賞品群記憶手段
を備え、  
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
【手続補正２】
【補正対象書類名】明細書
【補正対象項目名】０００８
【補正方法】変更
【補正の内容】
【０００８】
上記の課題は、下記（１）〜（９）の構成を有する本発明による古紙回収システムにより達成することが出来る。
（１）
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている
ことを特徴とする古紙回収システム。
（２）
前記（１）に記載された古紙回収システムであって、
前記演算処理装置に接続され、該演算処理装置からの古紙容積情報信号を受信し、レシートに該古紙容積情報信号が示す古紙容積情報を印字し、これを発券するレシート発券手段を備えた古紙回収システム。
（３）
古紙の回収のための回収ボックスと、
この回収ボックスに内蔵され、もしくは外付けされた演算処理装置と、
前記回収ボックスに取り付けられ、あるいは近傍に配置され、前記回収ボックスに古紙を投入する者の少なくとも顔の全体または顔の一部を撮影し、投入者情報信号を作成する第１撮影手段、前記回収ボックスに投入される古紙の束を撮影し、古紙情報信号を作成する第２撮影手段、およびこれらの投入者情報信号と古紙情報信号を紐付けて前記演算処理装置に送信する送信手段を有する撮影ユニットとを備えた古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
ことを特徴とする古紙回収システム。
（４）
前記（３）に記載された古紙回収システムであって、
前記演算処理装置に接続され、該演算処理装置からの新たな累積投入量情報信号を受信し、レシートに該累積投入量情報信号が示す新たな累積投入量情報を印字し、これを発券するレシート発券手段を備えた古紙回収システム。
（５）
前記（３）または（４）に記載された古紙回収システムであって、
当該投入者の前記累積投入量が、所定量増加する毎に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システム。（６
（６）
前記（３）〜（５）のいずれかに記載された古紙回収システムであって、
前記回収ボックスは、複数種の商品を取り扱うショップの店外または店内に設置され、
前記第１撮影手段からの投入者情報信号を受信し、この投入者情報信号から少なくとも投入者の性別および年代を識別し、識別情報信号を生成する識別手段、および
前記ショップで取り扱っている商品であって、性別および／または年代別に仕分けされ、当選者に与えられる当選賞品群を記憶した当選賞品群記憶手段
を備え、
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
（７）
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
投入者の回収ボックスへの古紙の束の投入時に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている
ことを特徴とする古紙回収システム。
（８）
前記（７）に記載された古紙回収システムであって、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
この第２撮影手段により特定された投入者の投入回数をカウントし、所定回数毎に所定回数到達情報信号を生成し、これを出力するカウント手段を備え、
前記抽選手段は、前記所定回数到達情報信号を、直接、あるいは前記演算処理装置を介して受信したとき、抽選を行う古紙回収システム。
（９）
前記（７）または（８）に記載された古紙回収システムであって、
前記回収ボックスは、複数種の商品を取り扱うショップの店外または店内に設置され、
前記回収ボックスに取り付けられ、あるいは近傍に配置され、前記回収ボックスに古紙を投入する者の少なくとも顔の全体または顔の一部を撮影し、投入者情報信号を作成する第２撮影手段、
この第２撮影手段からの投入者情報信号を受信し、この投入者情報信号から少なくとも投入者の性別および／または年代を識別し、識別情報信号を生成する識別手段、および
前記ショップで取り扱っている商品であって、性別および／または年代別に仕分けされ、当選者に与えられる当選賞品群を記憶した当選賞品群記憶手段
を備え、  
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する第１撮影手段、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
前記投入者情報信号と前記古紙情報信号を受け、これらの信号を紐付けて前記演算処理装置に送信する送信手段を備え、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
前記投入者情報信号を受信し、この投入者情報信号に基づき、少なくとも投入者の性別および年代を識別し、投入者識別情報信号を生成する投入者識別手段、
この投入者識別手段からの前記投入者識別情報信号により特定された投入者の投入回数をカウントし、所定回数毎に所定回数到達情報信号を生成し、これを出力するカウント手段、
このカウント手段からの所定回数到達情報信号を、直接、あるいは前記演算処理装置を介して受信したとき、抽選を行い、その結果を示す抽選結果内容信号を作成する抽選手段、および
抽選結果内容情報を印字し、これを発券するレシート発券手段を備えており、
前記演算処理装置は、前記抽選手段からの前記抽選結果内容情報信号を受信するようになっており、該抽選結果内容情報信号の内容が当選であるとき、前記投入者識別情報信号を受信し、この投入者識別情報信号に基づき、前記当選賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
【請求項２】
請求項１に記載された古紙回収システムであって、
前記回収ボックスは、複数種の商品を取り扱うショップの店外または店内に設置され、
前記当選賞品群の商品が、前記ショップで取り扱っている商品である
古紙回収システム。
【請求項３】
請求項１または２に記載された古紙回収システムであって、
前記古紙容積信号作成手段からの古紙容積情報信号を受信し、レシートに該古紙容積情報信号が示す古紙容積情報を印字し、これを発券するレシート発券手段を備えた古紙回収システム。
【請求項４】
請求項１〜３のいずれかに記載された古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
する古紙回収システム。
【請求項５】
請求項４に記載された古紙回収システムであって、
前記演算処理装置は、前記累積投入量記憶手段からの新たな累積投入量情報を示す累積投入量情報信号を受信し、前記レシート発券手段をして、レシートに該累積投入量情報信号が示す新たな累積投入量情報を印字し、これを発券するようになっている古紙回収システム。
【手続補正２】
【補正対象書類名】明細書
【補正対象項目名】０００８
【補正方法】変更
【補正の内容】
【０００８】
上記の課題は、下記（１）〜（５）の構成を有する本発明による古紙回収システムにより達成することが出来る。
（１）
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する第１撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
投入者の回収ボックスへの古紙の束の投入時に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システムにおいて、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
この第２撮影手段により特定された投入者の投入回数をカウントし、所定回数毎に所定回数到達情報信号を生成し、これを出力するカウント手段を更に備え、
前記抽選手段は、前記所定回数到達情報信号を、直接、あるいは前記演算処理装置を介して受信したとき、抽選を行うことを特徴とする古紙回収システム。
（２）
前記（１）に記載された古紙回収システムであって、
前記回収ボックスは、複数種の商品を取り扱うショップの店外または店内に設置され、
前記第２撮影手段からの投入者情報信号を受信し、この投入者情報信号から少なくとも投入者の性別および／または年代を識別し、識別情報信号を生成する識別手段、および
前記ショップで取り扱っている商品であって、性別および／または年代別に仕分けされ、当選者に与えられる当選賞品群を記憶した当選賞品群記憶手段
を備え、  
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
（３）
前記（１）に記載された古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている
古紙回収システム。
（４）
前記（１）〜（３）のいずれかに記載された古紙回収システムであって、
前記演算処理装置に接続され、該演算処理装置からの古紙容積情報信号を受信し、レシートに該古紙容積情報信号が示す古紙容積情報を印字し、これを発券するレシート発券手段を備えた古紙回収システム。
（５）
前記（４）に記載された古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
する古紙回収システム。
（６）
前記（５）に記載された古紙回収システムであって、
前記演算処理装置に接続され、該演算処理装置からの新たな累積投入量情報信号を受信し、レシートに該累積投入量情報信号が示す新たな累積投入量情報を印字し、これを発券するレシート発券手段を備えた古紙回収システム。
（７）
前記（５）または（６）に記載された古紙回収システムであって、
当該投入者の前記累積投入量が、所定量増加する毎に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システム。
（８）
前記（５）〜（７）のいずれかに記載された古紙回収システムであって、
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する第１撮影手段、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
前記投入者情報信号と前記古紙情報信号を受け、これらの信号を紐付けて前記演算処理装置に送信する送信手段を備え、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
前記投入者情報信号を受信し、この投入者情報信号に基づき、少なくとも投入者の性別および年代を識別し、投入者識別情報信号を生成する投入者識別手段、
この投入者識別手段からの前記投入者識別情報信号により特定された投入者の投入回数をカウントし、所定回数毎に所定回数到達情報信号を生成し、これを出力するカウント手段、
このカウント手段からの所定回数到達情報信号を、直接、あるいは前記演算処理装置を介して受信したとき、抽選を行い、その結果を示す抽選結果内容情報信号を作成する抽選手段、および
前記抽選結果内容情報信号が示す抽選結果内容情報を印字し、これを発券するレシート発券手段を備えており、
前記演算処理装置は、前記抽選手段からの前記抽選結果内容情報信号を受信するようになっており、該抽選結果内容情報信号の内容が当選であるとき、前記投入者識別情報信号を受信し、この投入者識別情報信号に基づき、前記当選賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
【請求項２】
請求項１に記載された古紙回収システムであって、
前記回収ボックスは、複数種の商品を取り扱うショップの店外または店内に設置され、
前記当選賞品群の商品が、前記ショップで取り扱っている商品である
古紙回収システム。
【請求項３】
請求項１または２に記載された古紙回収システムであって、
前記古紙容積信号作成手段からの古紙容積情報信号を受信し、レシートに該古紙容積情報信号が示す古紙容積情報を印字し、これを発券するレシート発券手段を備えた古紙回収システム。
【請求項４】
請求項１〜３のいずれかに記載された古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
する古紙回収システム。
【請求項５】
請求項４に記載された古紙回収システムであって、
前記演算処理装置は、前記累積投入量記憶手段からの新たな累積投入量情報を示す累積投入量情報信号を受信し、前記レシート発券手段をして、レシートに該累積投入量情報信号が示す新たな累積投入量情報を印字し、これを発券するようになっている古紙回収システム。
【手続補正２】
【補正対象書類名】明細書
【補正対象項目名】０００８
【補正方法】変更
【補正の内容】
【０００８】
上記の課題は、下記（１）〜（５）の構成を有する本発明による古紙回収システムにより達成することが出来る。
（１）
古紙の回収のための回収ボックスと、
この回収ボックスに内蔵され、もしくは外付けされた演算処理装置と、
前記回収ボックスに取り付けられ、あるいは近傍に配置され、前記回収ボックスに投入される古紙の束を撮影し、古紙情報信号を作成する第１撮影手段、およびこの古紙情報信号を前記演算処理装置に送信する送信手段を有する撮影ユニットを備えた古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段、
投入者の回収ボックスへの古紙の束の投入時に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システムにおいて、
前記回収ボックスに取り付けられ、あるいは近傍に配置され、前記回収ボックスに古紙を投入する者の少なくとも顔の全体または顔の一部を撮影し、投入者情報信号を作成する第２撮影手段、および
この第２撮影手段により特定された投入者の投入回数をカウントし、所定回数毎に所定回数到達情報信号を生成し、これを出力するカウント手段を更に備え、
前記抽選手段は、前記所定回数到達情報信号を、直接、あるいは前記演算処理装置を介して受信したとき、抽選を行うことを特徴とする古紙回収システム。
（２）
前記（１）に記載された古紙回収システムであって、
前記回収ボックスは、複数種の商品を取り扱うショップの店外または店内に設置され、
前記第２撮影手段からの投入者情報信号を受信し、この投入者情報信号から少なくとも投入者の性別および／または年代を識別し、識別情報信号を生成する識別手段、および
前記ショップで取り扱っている商品であって、性別および／または年代別に仕分けされ、当選者に与えられる当選賞品群を記憶した当選賞品群記憶手段
を備え、  
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。
（３）
前記（１）に記載された古紙回収システムであって、
前記演算処理装置は、前記送信されてきた前記古紙情報信号を受け、この古紙情報信号に基づき、回収ボックスに投入された古紙の束の容積を演算し、古紙容積情報信号を作成する古紙容積信号作成手段を備えている
古紙回収システム。
（４）
前記（１）〜（３）のいずれかに記載された古紙回収システムであって、
前記演算処理装置に接続され、該演算処理装置からの古紙容積情報信号を受信し、レシートに該古紙容積情報信号が示す古紙容積情報を印字し、これを発券するレシート発券手段を備えた古紙回収システム。
（５）
前記（４）に記載された古紙回収システムであって、
投入者毎に、古紙の累積投入量を記憶する累積投入量記憶手段をさらに備え、
前記演算処理装置は、前記投入者情報信号に紐付けられた前記古紙情報信号を受け、この古紙情報信号に基づき、回収ボックスに投入された古紙の束の容積を演算し、投入者情報信号に紐付けられた古紙容積情報信号を作成する古紙容積信号作成手段と、前記古紙容積情報信号を受信し、かつ累積投入量記憶手段から、古紙の累積投入量を示す累積投入量情報を読み出し、累積投入量情報信号が示す現在の累積投入量に、前記古紙容積情報信号が示す今回の古紙容積を加算し、新たな累積投入量を示す累積投入量情報を作成し、この新たな累積投入量情報で、前記累積投入量記憶手段に記憶されている累積投入量情報を更新する
する古紙回収システム。
（６）
前記（５）に記載された古紙回収システムであって、
前記演算処理装置に接続され、該演算処理装置からの新たな累積投入量情報信号を受信し、レシートに該累積投入量情報信号が示す新たな累積投入量情報を印字し、これを発券するレシート発券手段を備えた古紙回収システム。
（７）
前記（５）または（６）に記載された古紙回収システムであって、
当該投入者の前記累積投入量が、所定量増加する毎に、自動的に抽選を行い、その結果を示す抽選結果内容情報信号を作成する抽選手段、および
前記抽選手段からの前記抽選結果内容情報信号を、直接、あるいは前記演算処理装置を介して受信し、レシートに該抽選結果内容情報信号が示す抽選結果内容情報を印字し、これを発券するレシート発券手段を備えている古紙回収システム。
（８）
前記（５）〜（７）のいずれかに記載された古紙回収システムであって、
前記演算処理装置は、前記抽選手段からの前記抽選結果内容情報信号を受信するようになっており、該抽選結果内容情報信号の内容が当選であるとき、前記識別情報信号を受信し、この識別情報信号に基づき、前記賞品群記憶手段の記憶する当選賞品群の中から、当該当選者の性別および／または年代に合致した当選賞品を選択し、前記レシート発券手段をして、当該当選賞品を印字したレシートを発券させるようにした
古紙回収システム。